(57)【要約】【課題】  ランプシェードを外筒と内筒とから構成し、外筒と内筒との間の空間が下方に開放され、ランプからの光の一部が間接光として空間から下方に向けて放射され、または外筒孔からも外部に放射される照明装置を提供する【解決手段】  外筒１１１と内筒１１２とからなり、外筒と内筒との間に下方で外部に開放する空間１１３を有するランプシェード１１と、ランプを有するランプユニット１２と、ランプシェード１１をランプユニット１２に対し固定するための取り付け具と、を備えた照明装置であって、内筒１１１には複数の内筒孔Ｈ＿Ｉが設けられ、ランプユニット１２に取り付けられたランプからの光の一部が、間接光として、内筒孔Ｈ＿Ｉおよび空間１１３を介してランプシェードの下方に向けて放射される。【選択図】    図１
2015032399.tif 000002
【特許請求の範囲】
【請求項１】
Ｎ個（２≦Ｎ≦４の自然数）のスリット要素からなる装飾片装着用のスリットセットが複数形成されている筒状部とランプユニット取り付け具とからなるランプシェード本体、および、
模様が打ち抜かれている可撓性素材からなる、Ｎ個の爪を有する複数の装飾片、
から構成されたランプシェードであって、
前記装飾片は、前記筒状部に取り付けられる前は平面状をなすが、屈曲された状態で、前記Ｎ個の爪が前記Ｎ個のスリット要素に挿入されて、立体状に形成される、
ことを特徴とするランプシェード。
【請求項２】
開口が複数形成されている筒状部とランプユニット取り付け具とからなるランプシェード本体、および、
模様が打ち抜かれている可撓性素材からなる、少なくとも左右２つの爪または上下２つの爪を有する複数の装飾片、
から構成されたランプシェードであって、
前記装飾片は、前記筒状部に取り付けられる前は平面状をなすが、屈曲された状態で、前記少なくとも左右２つの爪または上下２つの爪が前記開口の内側に位置して前記開口の縁を押接して立体状に取り付けられている
ことを特徴とするランプシェード。
【請求項３】
Ｎ個（２≦Ｎ≦４の自然数）のスリット要素からなる装飾片装着用のスリットセットが複数形成されている筒状部の展開部材と、ランプユニット取り付け具とからなるランプシェード本体、および、
レース模様状に打ち抜かれている可撓性素材からなる、Ｎ個の爪を有する複数の装飾片、
から構成されたランプシェードの組み立てキットであって、
前記装飾片は、前記筒状部に取り付けられる前は平面状をなすが、屈曲された状態で、前記Ｎ個の爪が前記Ｎ個のスリット要素に挿入されて、立体状に形成される、
ことを特徴とするランプシェードの組み立てキット。
【請求項４】
開口が複数形成されている筒状部の展開部材と、ランプユニット取り付け具とからなるランプシェード本体、および、
模様が打ち抜かれている可撓性素材からなる、少なくとも左右２つの爪または上下２つの爪を有する複数の装飾片、
から構成されたランプシェードの組み立てキットであって、
前記装飾片は、前記筒状部に取り付けられる前は平面状をなすが、屈曲された状態で、前記少なくとも左右２つの爪または上下２つの爪が前記少なくとも左右２つの爪または上下２つの爪が前記開口の内側に位置して前記開口の縁を押接して立体状に取り付けられる
ことを特徴とするランプシェードの組み立てキット。
【発明の詳細な説明】
【技術分野】
【０００１】
本発明は、ランプシェード本体の筒状部に形成された複数のスリットセットに、レース模様状に打ち抜かれている装飾片が取り付けられたランプシェードおよびその組み立てキットに関し、具体的には、前記装飾片は、前記ランプシェードに取り付けられる前は平面状をなし、装着されることにより立体状に形成される着脱自在な前記装飾片を備えたランプシェードおよびその組み立てキットに関する。
【背景技術】
【０００２】
机上ランプや吊下げランプに用いられるランプシェードは、通常、布、紙、合成樹脂、木材、ガラス、金属等から選ばれる単一素材、またはの組み合わせ素材により筒状に構成される。
これらの、ランプシェードには、色彩、デザインを施すことで装飾がなされる（特許文献１等参照）。
【先行技術文献】
【特許文献】
【０００３】
【特許文献１】特開２００６−２８６５９０
【発明の概要】
【発明が解決しようとする課題】
【０００４】
しかし、この種のランプシェードでは、本体の筒状部に透過部を設ける等のデザインは多くみられるが、装飾を立体的に、簡便に付与することは行われていない。
【０００５】
本発明は上記の問題を解決するために提案されたものであり、ランプシェード本体の筒状部に取り付けられる前は平面状をなし、装着されることにより立体状に形成される装飾片を備えたランプシェードおよびランプシェードの組み立てキットを提供することである。
【課題を解決するための手段】
【０００６】
本発明のランプシェードは、以下を要旨とする。
（１）
Ｎ個（２≦Ｎ≦４の自然数）のスリット要素からなる装飾片装着用のスリットセットが複数形成されている筒状部とランプユニット取り付け具とからなるランプシェード本体、および、
模様が打ち抜かれている可撓性素材からなる、Ｎ個の爪を有する複数の装飾片、
から構成されたランプシェードであって、
前記装飾片は、前記筒状部に取り付けられる前は平面状をなすが、屈曲された状態で、前記Ｎ個の爪が前記Ｎ個のスリット要素に挿入されて、立体状に形成される、
ことを特徴とするランプシェード。
（２）
開口が複数形成されている筒状部とランプユニット取り付け具とからなるランプシェード本体、および、
模様が打ち抜かれている可撓性素材からなる、少なくとも左右２つの爪または上下２つの爪を有する複数の装飾片、
から構成されたランプシェードであって、
前記装飾片は、前記筒状部に取り付けられる前は平面状をなすが、屈曲された状態で、前記少なくとも左右２つの爪または上下２つの爪が前記開口の内側に位置して前記開口の縁を押接して立体状に取り付けられている
ことを特徴とするランプシェード。
筒状部およびランプユニットは、取り付け具を介して固定される。
【０００７】
本発明のランプシェードの組み立てキットは、以下を要旨とする。
（３）
Ｎ個（２≦Ｎ≦４の自然数）のスリット要素からなる装飾片装着用のスリットセットが複数形成されている筒状部の展開部材と、ランプユニット取り付け具とからなるランプシェード本体、および、
レース模様状に打ち抜かれている可撓性素材からなる、Ｎ個の爪を有する複数の装飾片、
から構成されたランプシェードの組み立てキットであって、
前記装飾片は、前記筒状部に取り付けられる前は平面状をなすが、屈曲された状態で、前記Ｎ個の爪が前記Ｎ個のスリット要素に挿入されて、立体状に形成される、
ことを特徴とするランプシェードの組み立てキット。
（４）
開口が複数形成されている筒状部の展開部材と、ランプユニット取り付け具とからなるランプシェード本体、および、
模様が打ち抜かれている可撓性素材からなる、少なくとも左右２つの爪または上下２つの爪を有する複数の装飾片、
から構成されたランプシェードの組み立てキットであって、
前記装飾片は、前記筒状部に取り付けられる前は平面状をなすが、屈曲された状態で、前記少なくとも左右２つの爪または上下２つの爪が前記少なくとも左右２つの爪または上下２つの爪が前記開口の内側に位置して前記開口の縁を押接して立体状に取り付けられる
ことを特徴とするランプシェードの組み立てキット。
【発明の効果】
【０００８】
本発明によれば、装飾片を立体状に屈曲させて筒状部に取り付けることができるので、デザインの自由度が高くなる。
【図面の簡単な説明】
【０００９】
【図１】図１は本発明のランプシェードの一実施形態を示す斜視図である。
【図２】図２は本発明のランプシェードの組み立てキットの一実施形態を示す図であり、（Ａ）はランプシェード本体の展開図、（Ｂ）は平面状の装飾片を示す図である。
【図３】図３（Ａ）は図１におけるランプシェード本体を示す斜視図、図３（Ｂ）は湾曲させた装飾片を示す図である。
【図４】図４は装飾片の他の例を示す図であり、（Ａ）は装飾片を示す図、（Ｂ）は装飾片の一部を折り曲げて爪を形成した図、（Ｃ）は（Ｂ）の状態の装飾片を筒状部に取り付けた様子を示す図である。
【図５】図５は筒状部に開口が形成され開口に装飾片が取り付けられたランプシェードの説明図であり、（Ａ）は装飾片を示す図、（Ｂ）は装飾片を開口に取り付けた様子を示す図である。、
【発明を実施するための形態】
【００１０】
図１は本発明のランプシェードの一実施形態を示す説明図である。図１において、ランプシェード１は、ランプシェード本体１１と、複数の装飾片１２とからなる。
図１のランプシェード１１は筒状部１１１と天板１１２とからなる。天板１１２は、本発明におけるランプユニット取り付け具として機能する。
天板１１２には、ランプユニット２が取り付けられている。
筒状部１１１は、無模様であるが、曲面に模様を施すことができる。装飾片１２は、全てが同じデザインでもよいし、たとえば、全装飾片１２のうち一部が第１のデザインであり、残りが第２のデザインであってもよい。
また、図１のランプシェード１１の筒状部１１１は、円柱状（末広がりの円柱状を含む）に構成してあるが、角柱状（末広がりの角柱状を含む）とすることができる。
【００１１】
図２（Ａ）は、ランプシェード本体１１の展開図（展開部材を示す図）である。筒状部１１１は、一枚の屈曲できるパネルから構成され、天板１１２は硬質プラスチックにより構成されている。
筒状部１１１には、２個のスリット要素からなるスリットセットが、複数形成（本実施形態では１２セット）されている。
【００１２】
図２（Ａ）では、スリットセットをａ１−ａ２、ｂ１−ｂ２、・・・、ｌ１−ｌ２で示す（これらのスリットセットを代表して「γ１−γ２」で表す）。本実施形態では、スリット間距離（γ１とγ２との距離）は、符号「Ｗ１」で示されている。
【００１３】
スリットセットγ１−γ２におけるスリット要素の配置は、すべてのスリットセットで同じでなくてもよい。たとえば、全装飾片１２のうち一部が第１のデザインで形成されて、第１のスリット配置のスリットセットに取り付けられ、全装飾片１２の残りが第２のデザインで形成されて、第２のスリット配置のスリットセットに取り付けられるようにしてもよい。
【００１４】
天板１１２には、図１に示したようにランプユニット２が取り付けられる。
筒状部１１１に取り付けられる装飾片１２は、筒状部１１１に形成されたスリットの組（γ１−γ２）の全てに取り付けてもよいし、筒状部１１１に形成されたスリットの組の一部に取り付けてもよい。
本実施形態では、スリットの組を構成するスリットは、垂直方向に形成した２つである。
【００１５】
図２（Ｂ）は平面状の（屈曲していない状態の）装飾片１２を示す図である。装飾片１２は、２つの爪１２１，１２１が間隔Ｗ２を有している。
装飾片１２は、レース模様状に打ち抜かれている可撓性素材からなり、ランプシェード本体１１の筒状部１１１に着脱自在に取り付けられる。
なお、図２（Ａ）のランプシェード本体１１および図２（Ｂ）の装飾片１２により本発明のランプシェードキットが構成される。
【００１６】
図３（Ａ）は、ランプシェード本体１１の斜視図、図３（Ｂ）は屈曲した装飾片１２を示す図である。装飾片１２は、図２（Ｂ）に示したようにランプシェード本体１１の筒状部１１１に取り付けられる前は平面状をなしている。図３（Ｂ）に示すように、屈曲されることにより、２個の爪１２１の間隔が、スリット要素の間隔Ｗ１と同じにでき、２個のスリットをスリットセットに挿入できるようになる。これにより、図１に示したように装飾片１２は、立体状に形成される。
【００１７】
図４は装飾片の他の例を示す図であり、図４（Ａ）に示すように装飾片２２は、蝶形状をなし、ａ（大羽根），ｂ（小羽根），ｃ（取り付け突起）により構成されている。突起ｃは図４（Ｂ）に示すように内側に折り曲げられ、突起ｃの先端の爪２２１は筒状部１１１に形成されたスリットに挿着される。本例の場合には、スリットの組を構成するスリットは、垂直方向に形成した２つである
【００１８】
図５（Ａ）は他の形状の装飾片３２を示す図であり、模様が打ち抜かれている可撓性素材からなる。装飾片３２には左右２つの爪３２１が形成されている。
装飾片３２は、筒状部１１１に取り付けられる前は平面状をなすが、屈曲された状態で、図５（Ｂ）に示すように、左右２つの爪３２１が、開口Ｈの内側に位置してその縁を押接して立体状となる。
【符号の説明】
【００１９】
１  ランプシェード
２  ランプユニット
１１  ランプシェード本体
１１１  筒状部
１１２  天板
１２，２２，３２  装飾片
１２１，２２１，３２１  爪
ａ１，ａ２、ｂ１，ｂ２、・・・、ｌ１，ｌ２、γ１，γ２  スリット要素
ａ１−ａ２、ｂ１−ｂ２、・・・、ｌ１−ｌ２、γ１−γ２  スリットセット
【図１】
2015032399.tif 000003
【図２】
2015032399.tif 000004
【図３】
2015032399.tif 000005
【図４】
2015032399.tif 000006
【図５】
2015032399.tif 000007